(57)【要約】      （修正有）【課題】浴槽に簡単に取り付けたり取り外したりできる浴槽用手すりを提供する。【解決手段】浴槽の上縁部に跨設され、浴槽の上部側壁を挟着する本体部１と、本体部１から上方に突出して形成される手すり部２とを備え、本体部１を横片と縦片からなる側面視でＬ字状の本体と、本体の横片に嵌合する横片と縦片とからなる側面視でＬ字形状のスライド体とで構成し、本体の横片の上部に、裏面にロックピンを有する蓋体１１２ａを設け、スライド体を本体に押し込むとロックピンがスライド体の横片に複数形成された係合孔のうちの１つの係合孔と係合しスライド体を本体とを一体化し、蓋体１１２ａを開けることによりロックピンが係合孔から離脱してロックが解除される本体の挟着幅調整手段を備えた。【選択図】図１
2013052207.tif 000002
【特許請求の範囲】
【請求項１】
浴槽の上縁部に跨設され、浴槽の上部側壁を挟着する本体部と、本体部から上方に突出して形成される手すり部とを備えた浴槽用手すりであって、横片と縦片からなる側面視でＬ字状の本体に、横片と縦片とからなる側面視でＬ字形状のスライド体が挿入され、嵌合してスライドし、本体の横片の上部に裏面にロックピンを有する蓋体を設け、スライド体を本体に押し込むだけでロックピンがスライド体の横片に形成された係合孔と係合してロックされ、蓋体を開けることによりロックピンが係合孔から離脱してロックが解除される幅調整手段を備えたことを特徴とする浴槽用手すり。
【請求項２】
断面がＬ字形状のスライド片１２０とネジスリーブ１２１とネジ棒１２２とノブ１２３と押圧板１２４とからなる締付け手段を有することを特徴とする請求項１記載の浴槽用手すり。
【請求項３】
手すり部支柱の形状が筒状体の一部からフランジ部が形成され、断面形状がＰ字形状しており、フランジ部に把手部の高さ調整をするための係合孔が間欠的に設けられたことを特徴とする請求項１又は２記載の浴槽用手すり。
【発明の詳細な説明】
【発明の詳細な説明】
【技術分野】
【０００１】  本発明は、高齢者や身障者等が浴室の浴槽内へ出入りするのに適した浴槽用手すりに関する。
【背景技術】
【０００２】  高齢者などが入浴する際、浴槽内への出入りを介助するために、浴槽の側壁へ取付け該側壁を挟着して固定する浴槽用手摺りが提供されている。例えば、特許文献１（特開２０１０−２４６６９１号）に記載されたものは、浴槽の上端部に配置される本体具と、本体具の一方の側面に形成された側片と、側片に設けられた押圧具と、左右一対に設けられた押圧板と、押圧具を移動させる操作ハンドルと、スライドして移動自在な押圧受け具と、押圧受け具に設けられた押圧受け板と、固定・解除手段とを備え、更に所定の力を超えるとハンドルノブからボルト軸に回動力が伝達されないようにする回動伝達社団機構と係合・離脱自在なラッチ具を備えた浴槽用手摺りである。【０００３】  また、特許文献２（特開２０００−１８９３３９号）に記載されたものは、水平片と垂直片からなるＬ字状の第１、第２取り付け部材を有し、この第１、第２取り付け部材の水平片を重ねて両垂直片の間隔を調整して固定し、締付板と第２の垂直板とにより浴槽の側壁を挟着する浴槽用手摺りである。【０００４】
【特許文献１】特開２０１０−２４６６９１号公報
【特許文献２】特開２０００−１８９３３９号公報
【発明が解決しようとする課題】
【０００５】特許文献１、２に記載されたものを含め従来のものは、浴槽の上縁部に本体を跨設してハンドルを回して締付板で浴槽の側壁を締め付けて固定するのが一般的である。浴槽は一般的にＦＲＰ製の物が多く使用されているが、ＦＲＰ製浴槽の側壁は内部が空洞かあるいは断熱材を充填しているため強度上強く締め付けることができない。側壁を強く締め付けると側壁が凹むなど、また、時間が経過するとネジが緩むなどの問題が発生する恐れがある。そのため、特許文献１に示すように回動伝達遮断機構で過剰な力で押圧することを防ぐようにしている。また、浴槽の側壁の厚み即ち肉厚は、浴槽の種類あるいはメーカーによって種々バラバラであり、挟着する固定方法もビス・ネジなどによって行われ浴槽に装着するのに手間がかかるなどの問題があり、より簡単な操作で固定できるものが望まれている。
【課題を解決するための手段】
【０００６】本発明は、従来の上記課題を解決する手段として、請求項１に記載の本発明は、浴槽の上縁部に跨設され、浴槽の上部側壁を挟着する本体部と、本体部から上方に突出して形成される手すり部とを備えた浴槽用手すりであって、横片と縦片からなる側面視でＬ字状の本体に、横片と縦片とからなる側面視でＬ字形状のスライド体が挿入され、嵌合してスライドし、本体の横片の上部に裏面にロックピンを有する蓋体を設け、スライド体を本体に押し込むだけでロックピンがスライド体の横片に形成された係合孔と係合してロックされ、蓋体を開けることによりロックピンが係合孔から離脱してロックが解除される幅調整手段を備えたことを特徴とする浴槽用手すりである。
【０００７】請求項２に記載の本発明は、断面がＬ字形状のスライド片１２０とネジスリーブ１２１とネジ棒１２２とノブ１２３と押圧板１２４とからなる締付け手段を有することを特徴とする請求項１記載の浴槽用手すりである。
【０００８】請求項３に記載の本発明は、手すり部支柱の形状が筒状体の一部からフランジ部が形成され、断面形状がＰ字形状しており、フランジ部に把手部の高さ調整をするための係合孔が間欠的に設けられたことを特徴とする請求項１又は２記載の浴槽用手すりである。
【０００９】請求項１記載の発明によれば、浴槽の上縁部に本体部を跨設させ、スライド体を本体に挿入して嵌合し、スライドさせるだけで浴槽の厚みすなわち肉厚に合わせることができ、押圧受け板と押圧板との幅調整が容易であり、操作が簡単なので浴槽への取り付けが高齢者でも容易にできる。
【００１０】請求項２記載の発明によれば、浴槽の上縁部に本体部を跨設させ、スライド体を押し込み幅調整を行った後、ノブを回して押圧板を浴槽の壁面に押圧して締付けることができ、短時間で浴槽に取り付けることができる。
【００１１】請求項３記載の発明によれば、手すり部支柱のフランジ部に把手部の高さ調整用係合孔が形成されているからネジ止め作業が楽に行うことができ、本体カバーに容易に組み付けることができる。
【００１２】本発明は、少なくとも押圧板と締付け手段を備えたスライド体を本体に設けた嵌合部に押し込むだけで浴槽の肉厚に対応して押圧受け板と押圧板の幅を浴槽の肉厚に簡単に合わせることができる幅調整手段を有する浴槽用手すりを提供するものである。
【発明の効果】
【００１３】従って、本発明の浴槽用手すりは、以下のような効果を奏する。
差し込む（押し込む）だけで浴槽の肉厚に合わせて幅調整することができ、ノブを回すだけで浴槽の上部を支持・固定できるから操作が簡単で容易に取り付けることができる。
また、手すり部の高さ調整ができるので、使用者の体格に合わせて手すり部の高さを設定することができる。
【発明を実施するための最良の形態】
【００１４】以下、本発明の一実施形態を図面に基づき説明する。図１は本発明に係る浴槽用手すりの斜視図である。図２は正面図、図３は左側面図、図４は背面からの斜視図、図５は平面図、図６は底面図、図７は縦断面図、図８は展開図、図９は浴槽用手すりからスライド体を離した状態の展開図、図１０は本体Ｌ字状片とスライド片の斜視図、図１１はロックピンのロック状態を示す概略図である。【００１５】図１から７に示すように、本発明に係る浴槽用手すりは、浴槽の上縁部に跨設される本体部１と、本体部１から上方へ突出する手すり部２とで構成されている。【００１６】本体部１は、側面視がＬ字形状の本体１１と、本体１１に嵌合してスライドする側面視がＬ字形状のスライド体１２と、スライド体１２に取り付けられる浴槽内手すり１３などで構成され、組み付けるとコの字形状をなし、浴槽の上縁部に跨設される。【００１７】手すり部２は、リング状の把手部２１とそれから垂下されている手すり部支柱２２などで構成され、手すり部支柱２２が本体部１に装着されて把手部２１が上下にスライドして把手部２１の高さを調整することができる。【００１８】本体１１は、フレームカバー１１０、本体Ｌ字状片１１１、上部カバー１１２、蓋体１１２ａ、ロックピン１１２ｂ、バネ１１２ｃ、押圧受け板１１３、ゴムシート１１３ａなどで構成され、スライド体１２は、断面がＬ字形状のスライド片１２０とネジスリーブ１２１とネジ棒１２２とノブ１２３と押圧板１２４とゴムシート１２４ａなどで構成されている。（図８参照）【００１９】本体１１は、フレームカバー１１０の内側面に本体Ｌ字状片１１１が組みつけられネジ１１０ｅで固定され、本体Ｌ字状片１１１には上部カバー１１２、蓋体１１２ａ、ロックピン１１２ｂ、バネ１１２ｃ、押圧受け板１１３、ゴムシート１１３ａなどが組みつけられる。フレームカバー１１０の外側面には支柱受け部１１０ｄが両側に形成され、支柱受け部１１０ｄには後述する手すり部２の手すり部支柱２２が挿入される。【００２０】本体Ｌ字状片１１１は、断面視がＬ字形状をしており、本体Ｌ字状片１１１の縦片１１１ａにネジ穴１１１ｂが設けられており、フレームカバー１１０の内面にネジ１１０ｅで組み付け固定される。
また、本体Ｌ字状片１１１の縦片１１１ａの内面側には、押圧受け板１１３がネジ等（図示しない）で組みつけられ固定されている。押圧受け板１１３にゴムシート１１３ａが貼着されている。【００２１】本体Ｌ字状片１１１の横片１１１ｃにはロックピン１１２ｂが挿通する貫通孔１１１ｄが設けられ、横片１１１ｃの裏面には、後述するスライド体のスライド片１２０が挿入される嵌合部１１１ｅが設けられ、嵌合溝１１１ｆ（アリ溝）を有している。（図９参照）
嵌合部１１１ｅは図９に示すように下方が開放されたものでもよいが下方が閉塞された扁平な筒状のものでもよい。【００２２】また、本体Ｌ字状片１１１の横片１１１ｃには、上部カバー１１２が被せられ組みつけられている。上部カバー１１２の上面には蓋体１１２ａが一端を回転軸として開閉できるように取り付けられ、蓋体１１２ａの裏面にはバネ１１２ｃで付勢されたロックピン１１２ｂが設けられている。（図１０参照）
ロックピン１１２ｂは貫通孔１１１ｄを貫通して後述するスライド片１２０に形成されている係合孔１２０ｂと係合する。ロックピン１１２ｂの先端は傾斜面をなしている。（図１１参照）【００２３】スライド体１２は、断面がＬ字形状のスライド片１２０とネジスリーブ１２１とネジ棒１２２とノブ１２３と押圧板１２４とゴムシート１２４ａで構成され（図８参照）、スライド片１２０の縦片１２０ａにネジスリーブ１２１が挿入される孔１２０ｂが設けられ、孔１２０ｂにネジスリーブ１２１が挿入されて組み付けられる。ネジスリーブ１２１にはネジ棒１２２が螺合されている。ネジ棒１２２の一端側に浴槽の内側面（内壁面）を押圧する押圧板１２４が組みつけられ、他端側にはノブ１２３が組みつけられている。ノブ１２３を右に回すと押圧板１２４が前進して浴槽の内側面（内壁面）を押圧する。ノブ１２３を左に回すと押圧板１２４が後退して押圧を解除する。押圧板１２４は押圧板基板１２３ａ、押圧板１２４ｂ、ゴムシート１２３ｃで形成されている。【００２４】スライド片１２０の横片１２０ｃには係合孔１２０ｄが間欠的に複数設けられ、前述したロックピン１１２ｂが係合する。また、スライド片１２０の横片１２０ｃの上面には本体Ｌ字状片１１１の横片１１１ｂの裏面に設けられた嵌合部１１１ｅの嵌合溝１１１ｆ（アリ溝）と嵌合する突状１２０ｅが形成されている。【００２５】スライド体１２を本体１１の嵌合部１１１ｅに挿入して押し込むと、スライド片１２０の先端がロックピン１１２ｂの傾斜面に当接し、スライド片１２０の先端が前進するとロックピン１１２ｂがバネ１１２ｃの付勢に逆らってロックピン１１２ｂが上方に押し上げられスライド体１２が前進する。スライド片１２０の横片１２０ｂに設けられた係合孔１２０ｃの位置にロックピン１１２ｂがくるとロックピン１１２ｂはバネ１１２ｃの付勢により係合孔１２０ｃに挿入されて係合する。更に前進すると係合孔１２０ｃの端面がロックピン１１２ｂの傾斜面に当接しロックピン１１２ｂがバネ１１２ｃの付勢に逆らって上方に押し上げられスライド体１２が前進する。次の係合孔１２０ｃの位置にロックピン１１２ｂがくるとロックピン１１２ｂはバネ１１２ｃの付勢により次の係合孔１２０ｃに挿入されて係合する。これを繰り返して、押圧板１２４が浴槽の壁面に当接するまで前進させるとロックピン１１２ｂがその位置に近い係合孔１２０ｃと係合してロックされる。（図１１参照）
また、蓋体１１２ａを開けるとロックピン１１２ｂが係合孔１２０ｃから離脱してロックが解除され、スライド体１２を後退させることができる。
従って、スライド体１２を押し込むだけで浴槽の厚み（肉厚）に押圧受け板１１３と押圧板１２４との幅を合わせることができるから、簡単な操作で幅調整をすることができる。【００２６】浴槽内手すり１３は、スライド片１２０の縦片１２０ａに孔を介してネジ１３０で組み付け固定される。浴槽内手すり１３は、不要な場合は取り外して使用してもよい。【００２７】手すり部２は、把手部２１と手すり部支柱２２とからなり、手すり部支柱２２の一端にリング形状の把手部２１が形成され、手すり部支柱２２には把手部２１の高さを調整するための係合孔２２１が間欠的に複数設けられている。手すり部支柱２２は、本体１１のフレームカバー１１０の側面に形成されている支柱受け部１１０ｄに挿入され、使用者の高さに合わせてネジ２３でフレームカバー１１０に組み付け固定する。【００２８】手すり部支柱２２の形状は、丸パイプ状、角パイプ状のものでもよいが、望ましくは、図１２に示すように断面形状が長円形でその一部からフランジ部が形成されたＰ字形状の支柱が望ましい。そして、フランジ部に把手部２１の高さ調整を行うための係合孔２２１を間欠的に複数形成している。この場合、本体１１の支柱受け部１１０ｄの断面形状は手すり部支柱２２の断面形状に対応してＰ字形状とすることが望ましい。【００２９】次に、浴槽への取り付け方について一例を持って説明する。まず、押圧受け板１１３と押圧板１２４との幅を広げた状態で本体部１を浴槽の上縁部に跨設し、スライド体１２を本体１１に押し込んで浴槽の側壁の肉厚に合わせる。押圧受け板１１３は浴槽の外側面（外壁面）に押圧板１２４は浴槽の内側面（内壁面）に当接する。そして、ノブ１２３を回動させて押圧板１２４を前進させ浴槽の内側面（内壁面）を押圧する。次に、手すり部支柱２２を支柱受け部１１０ｄに挿入して使用者の高さに合わせてネジ２３でフレームカバー１１０に組み付け固定する。【００３０】以上、実施例に基づき説明したが、本発明は、上記実施例に限定されるものではなく、手すり部の形状はリング状のものでなくてもよく、支柱は１本ものでもよい。
上述のように本発明は、高齢者、身体障害者、片マヒの方、足の弱い方など幅広く使用していただける介護用浴槽手すりを提供するものである。
【図面の簡単な説明】
【００３１】
【図１】  浴槽用手すりの斜視図
【図２】  浴槽用手すりの正面図
【図３】  浴槽用手すりの左側面図
【図４】  浴槽用手すりの背面側からの斜視図
【図５】  浴槽用手すりの平面図
【図６】  浴槽用手すりの底面図
【図７】  浴槽用手すりの縦断面図
【図８】  浴槽用手すりの展開図
【図９】  浴槽用手すりからスライド体を離した状態の展開図
【図１０】  本体Ｌ字状片とスライド片の斜視図
【図１１】  ロックピンのロック状態を示す概略図
【図１２】  手すり部支柱の断面図および斜視図
【符号の説明】
【００３２】１        本体部
１１      本体
１１０    本体カバー
１１１    本体Ｌ字状片
１１２    上部カバー
１１２ａ  蓋体
１１２ｂ  ロックピン
１１２ｃ  バネ
１１３    押圧受け板
１２      スライド体
１２０    スライド片
１２１    スリーブ
１２２    ネジ棒
１２３    ノブ
１２４    押圧板
１３      浴槽内手すり
２        手すり部
２１      把手部
２２      手すり部支柱
２２１    係合孔
【図１】
2013052207.tif 000003
【図２】
2013052207.tif 000004
【図３】
2013052207.tif 000005
【図４】
2013052207.tif 000006
【図５】
2013052207.tif 000007
【図６】
2013052207.tif 000008
【図７】
2013052207.tif 000009
【図８】
2013052207.tif 000010
【図９】
2013052207.tif 000011
【図１０】
2013052207.tif 000012
【図１１】
2013052207.tif 000013
【図１２】
2013052207.tif 000014